【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
液体を収容する複数の液体カートリッジと、
前記液体を噴射する液体噴射ヘッドと、
空気用溝と前記各液体カートリッジに対応する複数の液体用溝とが形成された流路形成部材と、を備え、
該流路形成部材に形成された前記空気用溝と前記複数の液体用溝の開口をフィルム部材で封止することにより、空気流路、及び、前記各液体カートリッジと前記液体噴射ヘッドとにそれぞれ連通する複数の液体流路を形成したことを特徴とする液体噴射装置。
【請求項２】
請求項１に記載の液体噴射装置において、
前記空気用溝と前記複数の液体用溝の開口を１枚のフィルム部材で封止することにより前記空気流路と前記複数の液体流路を形成したことを特徴とする液体噴射装置。
【請求項３】
請求項１または２に記載の液体噴射装置において、
前記流路形成部材は、前記各液体流路が集束する集束部と、該集束部で集束した前記各液体流路に連通する流路に別の液体導通部材が接続される接続口とを有することを特徴とする液体噴射装置。
【請求項４】
請求項１または２に記載の液体噴射装置において、
前記複数の液体流路は前記流路形成部材の長手方向に沿って延びるように形成されており、前記各液体流路は形状がそれぞれ異なるように形成されていることを特徴とする液体噴射装置。
【請求項５】
請求項１に記載の液体噴射装置において、
前記複数の液体用溝は、同液体用溝によって構成される前記液体流路のそれぞれの長さと断面積と壁面の粗度とを均一にしたことを特徴とする液体噴射装置。
【請求項６】
請求項１に記載の液体噴射装置において、
前記複数の液体用溝は、同液体用溝によって構成される前記液体流路の、それぞれの少なくとも長さ及び断面積の一方に基づいて、壁面の粗度が異なることを特徴とする液体噴射装置。
【請求項７】
請求項１に記載の液体噴射装置において、
前記複数の液体用溝は、同液体用溝によって構成される前記液体流路の、それぞれ少なくとも長さ及び粗度の一方に基づいて、断面積が異なることを特徴とする液体噴射装置。
【請求項８】
液体を収容する複数の液体カートリッジと、
前記液体を噴射する液体噴射ヘッドと、
空気用溝と前記各液体カートリッジに対応する複数の液体用溝とが形成された流路形成部材と、を備え、
該流路形成部材に形成された前記空気用溝と前記複数の液体用溝の開口を可撓性部材で封止することにより、空気流路、及び、前記各液体カートリッジと前記液体噴射ヘッドとにそれぞれ連通する複数の液体流路を形成したことを特徴とする液体噴射装置。
【請求項９】
液体噴射ヘッドに供給する液体が収容される液体収容部を有するケース内に連通する空気流路を、前記液体収容部に連通する液体流路とともに、流路形成部材の一つの面に、溝と該溝を封止するフィルム部材とにより形成したことを特徴とする液体噴射装置。
【手続補正２】
【補正対象書類名】明細書
【補正対象項目名】０００５
【補正方法】変更
【補正の内容】
【０００５】
本発明の目的は、組み立てにおける労力を低減することができる液体噴射装置を提供することにある。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
上記目的を達成するために、本発明の液体噴射装置は、液体を収容する複数の液体カートリッジと、前記液体を噴射する液体噴射ヘッドと、空気用溝と前記各液体カートリッジに対応する複数の液体用溝とが形成された流路形成部材と、を備え、該流路形成部材に形成された前記空気用溝と前記複数の液体用溝の開口をフィルム部材で封止することにより、空気流路、及び、前記各液体カートリッジと前記液体噴射ヘッドとにそれぞれ連通する複数の液体流路を形成した。
【手続補正１４】
【補正対象書類名】明細書
【補正対象項目名】００１７
【補正方法】変更
【補正の内容】
【００１７】
これによれば、流路形成部材に空気用溝と液体用溝が形成され、空気用溝と液体用溝とがフィルム部材により封止されることによって空気流路と液体流路が形成される。従って、液体カートリッジ内に連通する空気用チューブや液体カートリッジと液体噴射ヘッドとを連通させる複数の液体用チューブ等を装置内で引き回して組み付ける必要がない。このため、組み立て作業を簡単にすることができる。
この液体噴射装置において、前記空気用溝と前記複数の液体用溝の開口を１枚のフィルム部材で封止することにより前記空気流路と前記複数の液体流路を形成した。
この液体噴射装置は、前記流路形成部材は、前記各液体流路が集束する集束部と、該集束部で集束した前記各液体流路に連通する流路に別の液体導通部材が接続される接続口とを有する。
この液体噴射装置は、前記複数の液体流路は前記流路形成部材の長手方向に沿って延びるように形成されており、前記各液体流路は形状がそれぞれ異なるように形成されている。
【手続補正１５】
【補正対象書類名】明細書
【補正対象項目名】００１８
【補正方法】変更
【補正の内容】
【００１８】
この液体噴射装置において、前記複数の液体用溝は、同液体用溝によって構成される前記液体流路のそれぞれの長さと断面積と壁面の粗度とを均一にした。
これによれば、複数の液体用溝によって構成される液体流路の長さと断面積と粗度とが均一であるため、各液体流路における圧力損失に差が生じるのを防止することができる。
【手続補正１６】
【補正対象書類名】明細書
【補正対象項目名】００２１
【補正方法】変更
【補正の内容】
【００２１】
この液体噴射装置において、前記複数の液体用溝は、同液体用溝によって構成される前記液体流路の、それぞれ少なくとも長さ及び粗度の一方に基づいて、断面積が異なる。
これによれば、複数の液体用溝によって構成される液体流路の長さ、あるいは粗度に基づいて、壁面の断面積が異なるため、各液体流路における圧力損失に差が生じるのを防止できる。
また、本発明の液体噴射装置は、液体を収容する複数の液体カートリッジと、前記液体を噴射する液体噴射ヘッドと、空気用溝と前記各液体カートリッジに対応する複数の液体用溝とが形成された流路形成部材と、を備え、該流路形成部材に形成された前記空気用溝と前記複数の液体用溝の開口を可撓性部材で封止することにより、空気流路、及び、前記各液体カートリッジと前記液体噴射ヘッドとにそれぞれ連通する複数の液体流路を形成した。
また、本発明の液体噴射装置は、液体噴射ヘッドに供給する液体が収容される液体収容部を有するケース内に連通する空気流路を、前記液体収容部に連通する液体流路とともに、流路形成部材の一つの面に、溝と該溝を封止するフィルム部材とにより形成した。
【手続補正１７】
【補正対象書類名】明細書
【補正対象項目名】００４９
【補正方法】変更
【補正の内容】
【００４９】
このような構成により、各インクパック１８から針１６ａを介して導出されたインクは、流路形成部材２２内に設けられた各インク孔４１を介して各インク溝２６ａ〜２６ｆ（インク流路）へそれぞれ流入する。そして、インク溝２６ａ〜２６ｆから構成されるインク流路は、流路形成部材２２の一部に設けられた集束部４２において集束され、インク供給口４３からそれぞれインクを導出する。インク供給口４３には、図２に示すインク導通材４４が接続され、インク供給口４３から流出したインクは、インク導通材４４を介して記録ヘッド１４側に供給される。このインク導通材４４は、可撓性を備えており、インク供給口４３から記録ヘッド１４までインクを供給する複数の流路を備えたものである。
【手続補正１８】
【補正対象書類名】明細書
【補正対象項目名】００６４
【補正方法】削除
【補正の内容】
【手続補正１９】
【補正対象書類名】明細書
【補正対象項目名】００６５
【補正方法】削除
【補正の内容】
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】